(57)【特許請求の範囲】
【請求項１】
サイマル放送されている二つの階層の符号化映像・音声ストリームにそれぞれ設定された表示タイミングの差を、前記二つの階層のタイムラグとして特定するタイムラグ特定部と、
映像・音声の出力に用いる符号化映像・音声ストリームの切り替えが指示されたときに、前記タイムラグに基づいて、他方よりも早い表示タイミングが設定されている階層の符号化映像・音声ストリームから生成した映像・音声を出力する調整期間を決定する調整期間決定部と、
前記調整期間において、前記切り替えが指示されたときに映像・音声の出力に用いられていた切り替え元の階層のストリームから生成される映像・音声データに代えて、前記早い表示タイミングが設定されている階層の符号化映像・音声ストリームから生成した映像・音声データを、標準速度から第１の調整幅だけ速い第１の調整速度あるいは前記標準速度から第２の調整幅だけ遅い第２の調整速度で出力する調整出力部と、
前記調整期間の終了に応じて、前記指示によって指定された切り替え先の階層の符号化映像・音声ストリームから生成される映像・音声データを、前記標準速度で出力する切り替え出力部と、を備え、
前記調整期間決定部は、
前記早い表示タイミングが設定されている階層の符号化映像・音声ストリームにおいて、前記切り替えが指示された時点に到達したパケットの位置を示す順序情報に基づいて、前記切り替え元の階層の符号化映像・音声ストリームにおいて前記順序情報で指定されるパケットが出力される時点を、前記調整期間の始点として特定する始点特定部と、
前記タイムラグを前記第１の調整幅あるいは前記第２の調整幅で除算した時間が前記始点から経過した時点に基づいて前記調整期間の終点として特定する終点特定部と、を備えた
ことを特徴とするデジタル放送受信装置。
【請求項２】
サイマル放送されている二つの階層の符号化映像・音声ストリームにそれぞれ設定された表示タイミングの差を、前記二つの階層のタイムラグとして特定するタイムラグ特定部と、
映像・音声の出力に用いる符号化映像・音声ストリームの切り替えが指示されたときに、前記タイムラグに基づいて、他方よりも早い表示タイミングが設定されている階層の符号化映像・音声ストリームから生成した映像・音声を出力する調整期間を決定する調整期間決定部と、
前記調整期間において、前記切り替えが指示されたときに映像・音声の出力に用いられていた切り替え元の階層のストリームから生成される映像・音声データに代えて、前記早い表示タイミングが設定されている階層の符号化映像・音声ストリームから生成した映像・音声データを、標準速度から第１の調整幅だけ速い第１の調整速度あるいは前記標準速度から第２の調整幅だけ遅い第２の調整速度で出力する調整出力部と、
前記調整期間の終了に応じて、前記指示によって指定された切り替え先の階層の符号化映像・音声ストリームから生成される映像・音声データを、前記標準速度で出力する切り替え出力部と、を備え、
前記調整出力部は、前記二つの階層の符号化映像・音声ストリームのいずれかから、出力に用いられる映像データを復号する処理の速度に基づいて、前記第１の調整幅を決定する
ことを特徴とするデジタル放送受信装置。
【請求項３】
サイマル放送されている二つの階層の符号化映像・音声ストリームにそれぞれ設定された表示タイミングの差を、前記二つの階層のタイムラグとして特定するタイムラグ特定部と、
映像・音声の出力に用いる符号化映像・音声ストリームの切り替えが指示されたときに、前記タイムラグに基づいて、他方よりも早い表示タイミングが設定されている階層の符号化映像・音声ストリームから生成した映像・音声を出力する調整期間を決定する調整期間決定部と、
前記調整期間において、前記切り替えが指示されたときに映像・音声の出力に用いられていた切り替え元の階層のストリームから生成される映像・音声データに代えて、前記早い表示タイミングが設定されている階層の符号化映像・音声ストリームから生成した映像・音声データを、標準速度から第１の調整幅だけ速い第１の調整速度あるいは前記標準速度から第２の調整幅だけ遅い第２の調整速度で出力する調整出力部と、
前記調整期間の終了に応じて、前記指示によって指定された切り替え先の階層の符号化映像・音声ストリームから生成される映像・音声データを、前記標準速度で出力する切り替え出力部と、を備え、
前記調整出力部は、前記二つの階層の符号化映像・音声ストリームのいずれかから、出力に用いられる映像データの保持に割り当て可能な記憶容量に基づいて、前記第２の調整幅を決定する
ことを特徴とするデジタル放送受信装置。
【請求項４】
請求項１ないし請求項３のいずれかに記載のデジタル放送受信装置において、
前記調整出力部は、
前記調整期間において前記第１の調整速度で映像・音声データを出力するときに、前記早い表示タイミングが設定されている階層の符号化映像・音声ストリームから生成した音声データに含まれる無音状態を示す音声データ伝送単位を、前記標準速度と前記第１の調整速度との比に従って削除する無音削除部と、
前記調整期間において前記第２の調整速度で映像・音声データを出力するときに、前記早い表示タイミングが設定されている階層の符号化映像・音声ストリームから生成した音声データに、前記標準速度と前記第２の調整速度との比に従って無音状態を示す音声データ伝送単位を挿入する無音挿入部と、を備えた
ことを特徴とするデジタル放送受信装置。
【発明の詳細な説明】
【技術分野】
【０００１】
複数の階層に区分して伝送された映像・音声ストリームの１つのストリームに対応する映像・音声を選択的に出力するデジタル放送受信装置に関する。
【背景技術】
【０００２】
地上デジタル放送を含むデジタル放送技術では、一つのチャネルを１３個のセグメントに分け、１つ以上のセグメントを含む階層を３階層まで同時に伝送することが可能である。このような階層に区分した伝送方式による放送のうち、複数の階層によって、同一の番組を放送する場合は、サイマル放送と呼ばれている。サイマル放送の代表例は、いわゆるワンセグ放送の階層とフルセグ放送の階層とで同一のテレビ番組を放送する地上デジタル放送システムである。
【０００３】
地上デジタル放送システムでは、ワンセグ放送とフルセグ放送とでは、それぞれ異なる変調方式が採用されている。このため、送信側では、ワンセグ放送のためのストリームとフルセグ放送のためのストリームとは、それぞれ別個に符号化および変調処理されている。そして、ワンセグ放送とフルセグ放送とにそれぞれ対応した２組の復調処理部および復号処理部を備えたデジタル放送受信装置では、サイマル放送される二つの階層を受信して、いずれかに対応する映像・音声を選択的に出力することが可能である。このようなデジタル放送受信装置では、例えば、受信レベルに応じて、２つの階層のストリームを切り換えて、利用者に提供する映像・音声信号の生成に用いることができる。
【０００４】
サイマル放送される上述した２つの階層のストリームは、デジタル放送受信装置において、それぞれ別個に復調処理および復号処理される。したがって、それぞれのストリームに含まれるパケットが分離されてから、この分離されたパケットに対応する映像・音声が生成されるまでの遅延時間は、２つの階層と互いに異なっている。
【０００５】
従来のデジタル放送受信装置では、遅延時間が短い方の階層のストリームあるいは生成された映像・音声信号を、上述した遅延時間の分だけバッファに保持することにより、階層間の切り替えの円滑化が図られている(特許文献１，２参照)。
【先行技術文献】
【特許文献】
【０００６】
【特許文献１】特開２００７−１８０７０２号公報
【特許文献２】特開２００８−２０６０１５号公報
【発明の概要】
【発明が解決しようとする課題】
【０００７】
ところで、サイマル放送されるワンセグ放送およびフルセグ放送のストリームそれぞれには、表示タイミングを指定するＰＣＲ(Program Clock Reference)が設定されている。つまり、予定されている表示タイミングが、もともと、ワンセグ放送とフルセグ放送とで異なっている。
【０００８】
したがって、上述した従来技術を適用したデジタル放送受信装置では、階層間の切り替えの際に、遅い表示タイミングが設定されたストリームの側に表示タイミングが合わされてしまう。つまり、遅い表示タイミングが設定されたストリームから早い表示タイミングが設定されたストリームに切り換えられた場合も、映像・音声信号は、遅い表示タイミングに従って出力されてしまう。そして、上述した従来の技術では、このように、本来の表示タイミングより遅れた状態は、切り替えが完了した後もそのまま継続されてしまう。
【０００９】
本件開示の装置は、サイマル放送される複数階層間での切り換え完了後に、切り換え先の階層本来の表示タイミングで映像・音声を出力可能なデジタル放送受信装置を提供することを目的とする。
【課題を解決するための手段】
【００１０】
上述した目的は、以下に開示するデジタル放送受信装置によって達成することができる。
【００１１】
一つの観点によるデジタル放送受信装置は、サイマル放送されている二つの階層の符号化映像・音声ストリームにそれぞれ設定された表示タイミングの差を、二つの階層のタイムラグとして特定するタイムラグ特定部と、映像・音声の出力に用いる符号化映像・音声ストリームの切り替えが指示されたときに、タイムラグに基づいて、他方よりも早い表示タイミングが設定されている階層の符号化映像・音声ストリームから生成した映像・音声を出力する調整期間を決定する調整期間決定部と、調整期間において、切り替えが指示されたときに映像・音声の出力に用いられていた切り替え元の階層のストリームから生成される映像・音声データに代えて、早い表示タイミングが設定されている階層の符号化映像・音声ストリームから生成した映像・音声データを、標準速度から第１の調整幅だけ速い第１の調整速度あるいは標準速度から第２の調整幅だけ遅い第２の調整速度で出力する調整出力部と、調整期間の終了に応じて、指示によって指定された切り替え先の階層の符号化映像・音声ストリームから生成される映像・音声データを、標準速度で出力する切り替え出力部と、を備える。調整期間決定部は、早い表示タイミングが設定されている階層の符号化映像・音声ストリームにおいて、切り替えが指示された時点に到達したパケットの位置を示す順序情報に基づいて、切り替え元の階層の符号化映像・音声ストリームにおいて順序情報で指定されるパケットが出力される時点を、調整期間の始点として特定する始点特定部と、タイムラグを第１の調整幅あるいは第２の調整幅で除算した時間が始点から経過した時点に基づいて調整期間の終点として特定する終点特定部と、を備える。
【発明の効果】
【００１２】
本件開示の装置によれば、サイマル放送される複数階層間での切り替え完了後に、切り替え先の階層本来の表示タイミングで映像・音声を出力することができる。
【図面の簡単な説明】
【００１３】
【図１】デジタル放送受信装置の一実施形態を示す図である。
【図２】早い表示タイミングが設定された階層への切り替え動作を説明する図である。
【図３】早い表示タイミングが設定された階層からの切り替え動作を説明する図である。
【図４】デジタル放送受信装置の別実施形態を示す図である。
【図５】デジタル放送受信装置の別実施形態を示す図である。
【図６】調整期間決定処理を表す流れ図である。
【図７】切り替え元の階層Ｘのエレメンタルストリームの復号制御動作を表す流れ図である。
【図８】切り替え先の階層Ｙのエレメンタルストリームの復号制御動作を表す流れ図である。
【図９】ワンセグからフルセグへの階層切り替えを説明する図である。
【図１０】フルセグからワンセグへの階層切り替えを説明する図である。
【図１１】オーディオ・ビデオ出力動作を表す流れ図である。
【図１２】音声復号処理部の別実施形態を示す図である。
【発明を実施するための形態】
【００１４】
以下、図面に基づいて、本発明の実施形態について詳細に説明する。
【００１５】
図１に、デジタル放送受信装置の一実施形態を示す。図１に示したデジタル放送受信装置は、サイマル放送される第１階層の放送信号を受信する第１階層受信処理部１０１と、第２階層の放送信号を受信する第２階層受信処理部１０２とを備えている。
【００１６】
第１階層受信処理部１０１および第２階層受信処理部１０２では、放送信号の復調およびＴＳ(Transport Stream)分離処理が行われ、それぞれ第１階層のＰＥＳ(Packetize Elementary Stream)と第２階層のＰＥＳとが生成される。
【００１７】
以下では、第１階層の放送信号から生成されるＰＥＳの方に、第２階層の放送信号から生成されるＰＥＳよりも早い表示タイミングが設定されている場合について説明する。上述した第１階層の放送信号と第２階層の放送信号とにそれぞれ設定された表示タイミングの差は、タイムラグ特定部１１１によって特定される。
【００１８】
タイムラグ特定部１１１によって特定されたタイムラグＴＬは、調整期間決定部１１２に渡される。調整期間決定部１１２は、階層切り替えを指示する切り替え指示の入力に応じて、このタイムラグＴＬに基づいて、調整出力部１１３によって、上述した第１階層の放送信号から生成される映像・音声を速度調整して出力する調整期間を決定する。
【００１９】
調整出力部１１３は、第１階層受信処理部１０１から調整出力対象の第１階層のビデオＰＥＳを受け取り、映像復号処理部１０３とビデオ出力部１０４とを介して、調整出力対象のビデオＰＥＳを微高速あるいは微低速で出力させる。また、調整出力部１１３は、第１階層受信処理部１０１から調整出力対象の第１階層のオーディオＰＥＳを受け取り、音声復号処理部１０５とオーディオ出力部１０６を介して、調整出力対象のオーディオＰＥＳを微高速あるいは微低速で出力させる。
【００２０】
また、切り替え出力部１１４は、調整出力部１１３による調整出力が完了した後に、切り替え先の階層のビデオＰＥＳを、映像復号処理部１０３とビデオ出力部１０４とを介して、通常の速度で出力させる。同様に、切り替え出力部１１４は、切り替え先の階層のオーディオＰＥＳを、音声復号処理部１０５とオーディオ出力部１０５とを介して、通常の速度で出力させる。
【００２１】
次に、図１に示したような構成を備えたデジタル放送受信装置による階層切り替え動作について説明する。
【００２２】
図２に、早い表示タイミングが設定された階層への切り替え動作を説明する図を示す。また、図３に、早い表示タイミングが設定された階層から切り替え動作を説明する図を示す。
【００２３】
図２の例では、第２階層のＰＥＳ(Ａ)から生成された映像・音声の出力が行われているときに、切り替え指示によって第１階層への切り替えが指示されている。なお、図２において、切り替え指示を符号(１)を付した矢印で示した。
【００２４】
第１階層のＰＥＳには、第２階層のＰＥＳよりも早い表示タイミングが設定されている。したがって、切り替え指示が入力されてから最初に到達する第１階層のＰＥＳ(Ｂ)に相当する第２階層のＰＥＳ(Ｂ)は、第１階層と第２階層との間のタイムラグＴＬだけ遅れて到達する。そこで、第２階層のＰＥＳ(Ｂ)が到達するタイミングまでは、第２階層のＰＥＳから生成された映像・音声を標準速度で出力し、その後に設けた調整期間において、第１階層のＰＥＳから生成された映像・音声を標準速度よりも速く出力する。
【００２５】
図１に示した調整出力部１１３は、例えば、図２に示した第１階層のＰＥＳ(Ｂ)とその後に到達するＰＥＳを含むＭ個の調整出力対象ＰＥＳを、調整期間決定部１１２によって決定された調整期間に、標準速度よりも第１調整幅だけ速い第１調整速度で出力する。なお、以下の説明では、調整期間において、映像・音声を標準速度よりも第１調整幅だけ速い第１調整速度で出力することを、微高速出力と称する。また、調整期間の前後において、映像・音声を標準速度で出力することを通常出力と称する。
【００２６】
このとき、調整期間決定部１１２は、第２階層のＰＥＳ(Ｂ)が到着するタイミングから、第１階層のＰＥＳにおいて上述した調整出力対象ＰＥＳの後に続くＰＥＳ(Ｃ)の到達タイミングまでの期間を調整期間とすることができる。
【００２７】
このように設定された調整期間において、調整出力部１１３により、調整用の階層として用いる第１階層のＰＥＳ(Ｃ)の直前のＰＥＳまでが微高速出力される。このように、早い表示タイミングが設定された調整用の階層のＰＥＳを微高速出力することにより、利用者に提供される映像・音声出力のタイミングを、切り替え後の第１階層の早い表示タイミングに追いつかせることができる。そして、追いついたところで、切り替え出力部１１４により、切り替え先の第１階層の通常出力を上述したＰＥＳ(Ｃ)から開始することにより、以降は、第１階層のＰＥＳに設定された表示タイミングに従って映像・音声を出力することができる。
【００２８】
一方、図３の例では、第１階層のＰＥＳから生成された映像・音声の出力が行われているときに、切り替え指示によって第２階層への切り替えが指示されている。なお、図３において、切り替え指示を符号(１)を付した矢印で示した。
【００２９】
この場合に、図１に示した調整出力部１１３は、第１階層のＰＥＳにおいて切り替え指示の入力に応じて設けられる調整期間において、第１階層のＰＥＳから生成された映像・音声を標準速度よりも遅く出力する。図３に示した例では、切り替え指示の入力後に初めて到達する第１階層のＰＥＳ(Ｂ)の到達タイミングに応じて、調整期間が設定されている。
【００３０】
調整出力部１１３は、例えば、図３に示したＰＥＳ(Ｂ)とその後に到達するＰＥＳを含むｍ個の調整出力対象ＰＥＳを、調整期間決定部１１２によって決定された調整期間に、標準速度よりも第２調整幅だけ遅い第２調整速度で出力する。なお、以下の説明では、調整期間において、映像・音声を標準速度よりも第２調整幅だけ遅い第２調整速度で出力することを、微低速出力と称する。
【００３１】
このとき、調整期間決定部１１２は、第１階層のＰＥＳ(Ｂ)が到着するタイミングから、上述した調整出力対象ＰＥＳの後に続く第１階層のＰＥＳ(Ｃ)に相当する第２階層のＰＥＳ(Ｃ)の到達タイミングまでの期間を調整期間とすることができる。
【００３２】
このように設定された調整期間において、調整出力部１１３により、調整用の階層として用いる第１階層のＥＳに含まれる上述したＰＥＳ(Ｃ)の直前のＰＥＳまでが微低速出力される。このように、早い表示タイミング設定された調整用の階層のＥＳを微低速出力することにより、利用者に提供される映像・音声出力のタイミングを、切り替え後の第２階層の遅い表示タイミングに合わせて、２つの階層間のタイムラグを解消することができる。そして、ズレが解消されたところで、切り替え出力部１１４により、切り替え先の第２階層の通常出力を上述したＰＥＳ(Ｃ)から開始することにより、以降は、第２階層のＰＥＳに設定された表示タイミングに従って映像・音声を出力することができる。
【００３３】
このように、図１に示したような構成を備えたデジタル放送受信装置では、サイマル放送される２つの階層間の切り替えの完了後に、切り替え後の階層に設定された本来の表示タイミングに従って映像・音声の出力を継続することができる。なお、上述した微高速出力および微低速出力に適用される第１調整速度および第２調整速度を適切に設定することにより、２つの階層のＰＥＳから生成される映像・音声出力を滑らかに接続することが可能である。
【００３４】
図１に示したような構成を備えたデジタル放送受信装置は、例えば、地上デジタル放送を視聴するためのデジタル放送受信装置に適用することができる。
【００３５】
図４に、デジタル放送受信装置の別実施形態を示す。なお、図４に示した構成要素のうち、図１に示した構成要素と同等のものについては、同一の符号を付して示し、その説明は省略する。また、地上デジタル放送では、フルセグ放送用のＰＥＳにワンセグ放送用のＰＥＳよりも早い表示タイミングが設定されている。したがって、フルセグ放送に対応する階層は上述した第１階層に相当し、ワンセグ放送に対応する階層は第２階層に相当する。そして、フルセグ放送に対応する階層が、調整用の階層として用いられる。
【００３６】
図４に示したワンセグチューナ部２１１、ワンセグ復調部２１２、ワンセグＴＳ分離部２１３およびワンセグＰＣＲ解析部２１４は、第２階層受信処理部１０２に相当する。また、フルセグチューナ部２１５、フルセグ復調部２１６、フルセグＴＳ分離部２１７およびフルセグＰＣＲ解析部２１８は、第１階層受信処理部１０１に相当する。
【００３７】
ワンセグＴＳ分離部２１３によって分離されたワンセグビデオＰＥＳは、ワンセグビデオＰＥＳ解析部２２１およびワンセグビデオＥＳ記憶部２２２を介して映像復号処理部１０３に渡される。一方、ワンセグＴＳ分離部２１３によって分離されたワンセグオーディオＰＥＳは、ワンセグオーディオＰＥＳ解析部２２６およびワンセグオーディオＥＳ記憶部２２７を介して音声復号処理部１０５に渡される。
【００３８】
また、フルセグＴＳ分離部２１７によって分離されたフルセグビデオＰＥＳは、フルセグビデオＰＥＳ解析部２２４およびフルセグビデオＥＳ記憶部２２５を介して映像復号処理部１０３に渡される。一方、フルセグＴＳ分離部２１７によって分離されたフルセグオーディオＰＥＳは、フルセグオーディオＰＥＳ解析部２２９およびフルセグオーディオＥＳ記憶部２３０を介して音声復号処理部１０５に渡される。
【００３９】
復号制御部２３１は、上述したワンセグビデオＥＳ記憶部２２２およびフルセグビデオＥＳ記録部２２５から映像復号処理部１０３へのＰＥＳの出力を、ビデオ復号制御部２２３を介して制御する。また、復号制御部２３１は、上述したワンセグオーディオＥＳ記憶部２２７およびフルセグオーディオＥＳ記録部２３０から音声復号処理部１０５へのＰＥＳの出力を、オーディオ復号制御部２２８を介して制御する。この復号制御部２３１の制御処理には、ワンセグＰＣＲ解析部２１４およびフルセグＰＣＲ解析部２１８による解析結果が用いられる。
【００４０】
また、図４に示したデジタル放送受信装置では、映像復号処理部１０３は、ビデオ復号部２３２による復号結果を、復号ビデオ記憶部２３３を介してビデオ出力部１０４に送出する構成を含んでいる。そして、音声復号処理部１０５には、オーディオ復号部２３６による復号結果を、復号オーディオ記憶部２３７を介してオーディオ出力部１０６に送出する構成が含まれている。
【００４１】
上述した復号ビデオ記憶部２３３および復号オーディオ記憶部２３７からビデオ出力部１０４およびオーディオ出力部１０６への復号ビデオデータおよび復号オーディオデータの出力は、出力制御部２３５によって制御される。
【００４２】
次に、図４に示したような構成を備えた地上デジタル放送視聴用のデジタル放送受信装置において、サイマル放送されるワンセグ放送とフルセグ放送との切り替えを実現する方法について説明する。
【００４３】
図５に、デジタル放送受信装置の別実施形態を示す。なお、図５に示した構成要素のうち、図１および図４に示した構成要素と同等のものについては、同一の符号を付して示し、その説明は省略する。
【００４４】
図５に示した復号制御部２３１は、調整期間決定部１１２と階層切り替え指示部２３８と切替制御部２３９および設定情報保持部２４１を備えている。また、調整期間決定部１１２は、調整期間の始点となるタイミングを決定する始点特定部１２１と調整期間の終点となるタイミングを決定する終点特定部１２２とを備えている。
【００４５】
階層切り替え指示部２３８は、例えば、ワンセグチューナ部２１１およびフルセグチューナ部２１５からそれぞれの階層の受信状態を表す情報を受け取り、この情報に基づいて、ワンセグ・フルセグ間の切り替えを指示する。この階層切り替え指示部２３８は、例えば、フルセグ放送の受信状態が悪化した旨の情報に応じて、ワンセグ放送への階層切り替えを指示し、フルセグ放送の受信状態の回復を検出したときに、フルセグ放送への階層切り替えを指示することができる。
【００４６】
また、設定情報保持部２４１には、フルセグ放送とワンセグ放送とにそれぞれ設定された表示タイミングの間のタイムラグと、上述した調整期間に適用する第１調整幅および第２調整幅の値を保持している。この第１調整幅および第２調整幅の値のうち、階層切り替え指示部２３８によって指示される切り替え後の階層の種類に応じていずれか一方が選択され、選択された値が切替制御部２３９を介して出力制御部２３５の処理に供される。また、設定情報保持部２４１に保持されたタイムラグの値は、階層切り替え指示部２３８によって階層の切り替えが指示された際に終点特定部１２２に渡され、調整期間の終了タイミングの決定に用いられる。つまり、図５に示したデジタル放送受信装置では、設定情報保持部２４１は、図１に示したタイムラグ特定部１１１に相当している。なお、調整期間決定部１１２による処理には、ワンセグＰＣＲ解析部２１４による解析結果およびフルセグＰＣＲ解析部２１８による解析結果も用いられる。
【００４７】
切替制御部２３９は、始点特定部１２１および終点特定部１２２によって決定されたタイミングに基づいて、ビデオ復号制御部２２３およびオーディオ復号制御部２２８の動作を制御する。これにより、階層切り替えの段階に応じて、ワンセグビデオＥＳ記憶部２２２あるいはフルセグビデオＥＳ記憶部２２５からビデオ復号部２３２に適切な復号対象のビデオＰＥＳが渡される。同様に、ワンセグビデオＥＳ記憶部２２２あるいはフルセグビデオＥＳ記憶部２２５からのオーディオＰＥＳの出力が制御され、階層切り替えの段階に応じて適切な復号対象のＰＥＳがオーディオ復号部２３６に渡される。
【００４８】
このように、図５に示したデジタル放送受信装置において、切替制御部２３９が、上述した両階層のビデオＥＳ処理にかかわる各部とオーディオＥＳ処理にかかわる各部とを制御する構成は、図１に示した切り替え出力部１１４に相当する。
【００４９】
また、図５に示した出力制御部２３５は、例えば、切替制御部２３９を介して受け取った第１調整幅あるいは第２調整幅に基づいて、復号ビデオ記憶部２３３および復号オーディオ記憶部２３７から復号データを出力する速度を制御することができる。つまり、図５に示したデジタル放送受信装置において、出力制御部２３５が、切替制御部２３９からの情報に基づいて、復号ビデオ記憶部２３３および復号オーディオ記憶部２３７による復号データ出力を制御する構成は、図１に示した調整出力部１１３に相当する。
【００５０】
図６に、調整期間決定処理を表す流れ図を示す。以下、図６を参照して、調整期間を決定する処理について説明する。
【００５１】
階層切り替え指示部２３８からの階層切り替え指示を受け取ったときに(ステップ３０１)、設定情報保持部２４１からタイムラグＴＬと切り替え先の階層に対応して選択された調整幅ｎが終点特定部１２２に渡される。設定情報保持部２４１は、例えば、ワンセグからフルセグへの切り替えが指示された場合に、微高速出力のための第１調整幅の値を調整幅ｎとして終点特定部１２２に渡す。一方、フルセグからワンセグへの切り替えが指示された場合に、設定情報保持部２４１は、微低速出力のための第２調整幅の値を調整幅ｎとして終点特定部１２２に渡す。終点特定部１２２は、例えば、このタイムラグＴＬを調整幅ｎで除算して、調整期間の長さＬ(＝ＴＬ／ｎ)を算出することができる(ステップ３０２)。
【００５２】
更に、階層切り替え指示で指定された切り替え先の階層ＹのＰＣＲｙから切り替え元の階層ＸのＰＣＲｘを差し引いて、差分Ｔｐが算出される(ステップ３０３)。また、切替制御部２３９は、ビデオ復号制御部２２３を介して、調整用階層として用いるフルセグ放送のＴＳから切り替え指示後に初めて分離されたビデオＰＥＳに設定されたＰＴＳ(Presentation Time Stamp)で示される時刻Ｔa1を受け取る(ステップ３０４)。
【００５３】
次に、切替制御部２３９は、階層切り替え指示に基づいて、階層切り替えの種類を判定する(ステップ３０５)。例えば、表示タイミングが早いフルセグ階層から表示タイミングが遅いワンセグ階層への切り替えが指示された場合に(ステップ３０５の肯定判定)、始点特定部１２１は、ステップ３０６に従って調整期間の始点を算出する。このとき、始点特定部１２１は、上述した時刻Ｔa1を、切り替え元の階層における調整期間の始点Ｔx1とする。そして、上述した時刻Ｔa1にステップ３０３で算出された差分Ｔｐを加算して、切り替え先の階層における調整期間の始点Ｔy1を算出する。
【００５４】
逆に、表示タイミングが遅いワンセグ階層から表示タイミングが早いフルセグ階層への切り替えが指示された場合に(ステップ３０５の否定判定)、始点特定部１２１は、ステップ３０７に従って調整期間の始点を算出する。このとき、始点特定部１２１は、上述した時刻Ｔa1からＰＣＲの差分Ｔｐを差し引いた値を、切り替え元の階層における調整期間の始点Ｔx1とする。そして、上述した時刻Ｔa1を、切り替え先の階層における調整期間の始点Ｔy1とする。
【００５５】
このようにして、調整期間の始点が算出された後に、終点特定部１２２は、上述した始点Ｔx1，Ｔy1にそれぞれ調整期間の長さＬを加算して、切り替え元および切り替え先の階層における調整期間の終点Ｔx2，Ｔy2を算出する(ステップ３０８)。
【００５６】
このようにして算出された調整期間の始点および終点は、切替制御部２３９を介してビデオ復号制御部２２３およびオーディオ復号制御部２２８と出力制御部２３５に通知される(ステップ３０９)。また、上述した調整幅ｎも、切替制御部２３９を介して出力制御部２３５に通知される(ステップ３１０)。
【００５７】
このようにして、第１階層に相当するフルセグ階層において、階層切り替え指示の後に始めて到達したビデオＰＥＳに設定されたＴＰＳに基づいて、切り替え元の階層および切り替え先の階層にそれぞれ適用する調整期間を設定することができる。
【００５８】
次に、階層切り替え前後での各階層のエレメンタルストリームについての復号制御動作について説明する。
【００５９】
図７に、切り替え元の階層Ｘのエレメンタルストリームの復号制御動作を表す流れ図を示す。また、図８に、切り替え先の階層Ｙのエレメンタルストリームの復号制御動作を表す流れ図を示す。なお、階層切り替えに伴う制御処理は、ビデオＰＥＳを対象とする処理もオーディオＰＥＳを対象とする処理も同様であるので、図７、図８においては、ビデオＰＥＳのついての制御処理を代表として示した。
【００６０】
まず、図７を参照して、切り替え元の階層ＸのＰＥＳを対象とする復号制御処理を説明する。
【００６１】
ステップ３１１でＴＳから分離された切り替え元の階層ＸのビデオＰＥＳを受け取るごとに、ビデオ復号制御部２２３は、階層Ｘは早い表示タイミングが設定された階層であるか否かを判定する(ステップ３１２)。
【００６２】
フルセグからワンセグへの切り替えが指示された場合は、フルセグＴＳ分離部２１７で分離されてフルセグビデオＥＳ記憶部２２５に順次に格納されるフルセグビデオＰＥＳが階層ＸのビデオＰＥＳとなる。
【００６３】
このように、切り替え元の階層Ｘの方に早い表示タイミングが設定されている場合は(ステップ３１２の肯定判定)、切り替え元の階層Ｘが調整用階層となる。この場合に、ビデオ復号制御部２２３は、このビデオＰＥＳに設定されたＰＴＳで示される表示予定時刻Ｔｓｘと上述した階層Ｘの調整期間の終点Ｔx2とを比較する(ステップ３１３)。
【００６４】
そして、このビデオＰＥＳの表示予定時刻Ｔｓｘが調整期間の終点Ｔx2よりも前であった場合に(ステップ３１３の肯定判定)、ビデオ復号制御部２２３からの指示に応じて、このビデオＰＥＳはビデオ復号部２３２に渡される(ステップ３１４)。例えば、ビデオ復号部２２３は、階層ＸのビデオＰＥＳが格納されるフルセグビデオＥＳ記憶部２２５に対して、このビデオＰＥＳの出力を指示することにより、ビデオＰＥＳをビデオ復号部２３２に送ることができる。逆に、上述したビデオＰＥＳの表示予定時刻Ｔｓｘが調整期間の終点Ｔx2以降であった場合に(ステップ３１３の否定判定)、ビデオ復号制御部２２３は、このビデオＰＥＳを対応するビデオＥＳ記憶部から削除する(ステップ３１６)。その後、ビデオ復号制御部２２３は、このビデオＰＥＳについての処理を終了して、次のビデオＰＥＳの到着を待つ。
【００６５】
一方、ワンセグからフルセグへの切り替えが指示された場合は、ワンセグＴＳ分離部２１３で分離されてワンセグビデオＥＳ記憶部２２２に順次に格納されるワンセグビデオＰＥＳが階層ＸのビデオＰＥＳとなる。このように、切り替え元の階層Ｘの方に遅い表示タイミングが設定されている場合は(ステップ３１２の否定判定)、切り替え先の階層Ｙが調整用階層となる。この場合に、ビデオ復号制御部２２３は、このビデオＰＥＳのＰＴＳで示された表示予定時刻Ｔｓｘと階層Ｘについての調整期間の始点Ｔx1とを比較する(ステップ３１５)。このビデオＰＥＳの表示予定時刻Ｔｓｘが調整期間の始点Ｔx1よりも前であった場合に(ステップ３１５の肯定判定)、ビデオ復号制御部２２３からの指示に応じて、この階層ＸのＰＥＳはビデオ復号部２３２に渡される(ステップ３１４)。逆に、上述したビデオＰＥＳの表示予定時刻Ｔｓｘが調整期間の始点Ｔx1以降であった場合に(ステップ３１５の否定判定)、ビデオ復号制御部２２３は、このビデオＰＥＳを対応するビデオＥＳ記憶部から削除する(ステップ３１６)。その後、ビデオ復号制御部２２３は、このビデオＰＥＳについての処理を終了して、次のビデオＰＥＳの到着を待つ。
【００６６】
次に、図８を参照して、切り替え先の階層ＹのＰＥＳを対象とする復号制御処理を説明する。
【００６７】
ステップ３２１でＴＳから分離された切り替え先の階層ＹのビデオＰＥＳを受け取るごとに、ビデオ復号制御部２２３は、階層Ｙは早い表示タイミングが設定された階層であるか否かを判定する(ステップ３２２)。
【００６８】
ワンセグからフルセグへの切り替えが指示された場合は、フルセグＴＳ分離部２１７で分離されてフルセグビデオＥＳ記憶部２２５に格納されたフルセグビデオＰＥＳが階層ＹのビデオＰＥＳとなる。このように、切り替え先の階層Ｙの方に早い表示タイミングが設定されている場合は(ステップ３２２の肯定判定)、切り替え先の階層Ｙが調整用階層となる。このとき、調整用階層として用いられる階層Ｙの調整出力対象のビデオＰＥＳが、切り替え元の階層Ｘにおいて出力対象となる最後のビデオＰＥＳよりも後にビデオ復号部２３２に渡されるように、次のようにして制御することができる。
【００６９】
例えば、ビデオ復号制御部２２３は、このビデオＰＥＳのヘッダに設定されたＰＴＳで示された表示予定時刻Ｔｓｙと上述した階層Ｙの調整期間の始点Ｔy1とを比較する(ステップ３２３)。そして、この表示予定時刻Ｔｓｙが調整期間の始点Ｔy1よりも後であった場合に(ステップ３２３の肯定判定)、ビデオ復号制御部２２３は、更に、ステップ３２４の判定処理を行う。ステップ３２４で、ビデオ復号制御部２２３は、切り替え元の階層ＸのＴＳから分離されたＰＥＳのＰＴＳで示される表示予定時刻Ｔｓｘと階層Ｘについての調整期間の始点Ｔx1とを比較する。上述した表示予定時刻Ｔｓｘが階層Ｘについての調整期間の始点Ｔx1よりも後であった場合に(ステップ３２４の肯定判定)、ビデオ復号制御部２２３は、階層Ｘの調整期間の始点に当たるＰＥＳが到達していると判断する。この場合に、ビデオ復号制御部２２３は、階層Ｙ対応するビデオＥＳ記憶部に対して、ステップ３２１で入力された階層ＹのビデオＰＥＳの出力を指示することにより、このＰＥＳをビデオ復号部２３２に渡させる(ステップ３２５)。
【００７０】
また、階層Ｘ側のＰＥＳの表示予定時刻Ｔｓｘが調整期間の始点Ｔx1以前である場合に(ステップ３２４の否定判定)、ビデオ復号制御部２２３は、階層Ｘの調整期間の始点に当たるＰＥＳが到達するまで待ってからステップ３２５に進む。例えば、ビデオ復号制御部２３２は、階層Ｙに対応するビデオＥＳ記憶部に階層ＹのＰＥＳの保存を指示しておき、ステップ３２４の肯定判定となった後に、保存されたＰＥＳをまとめて出力させることもできる。その後、ビデオ復号制御部２２３は、このビデオＰＥＳについての処理を終了して、次のビデオＰＥＳの到着を待つ。
【００７１】
なお、上述した階層ＹのＰＥＳの表示予定時刻Ｔｓｙが調整期間の始点Ｔy1以前であった場合に(ステップ３２３の否定判定)、ビデオ復号制御部２２３は、ステップ３２１で受け取ったビデオＰＥＳを削除してもよい。
【００７２】
一方、フルセグからワンセグへの切り替えが指示された場合は、ワンセグＴＳ分離部２１３で分離されてワンセグビデオＥＳ記憶部２２２に格納されたワンセグビデオＰＥＳが階層ＹのビデオＰＥＳとなる。このように、切り替え先の階層Ｙの方に遅い表示タイミングが設定されている場合は(ステップ３２２の否定判定)、切り替え元の階層Ｘが調整用階層となる。このとき、切り替え先の階層ＹのビデオＰＥＳが、調整用階層として用いられる階層Ｘの調整期間の終点に対応するビデオＰＥＳよりも後にビデオ復号部２３２に渡されるように、次のようにして制御することができる。
【００７３】
例えば、ビデオ復号制御部２２３は、受け取ったビデオＰＥＳのＰＴＳで示される表示予定時刻Ｔｓｙと階層Ｙについての調整期間の終点Ｔy2とを比較する(ステップ３２６)。そして、この表示予定時刻Ｔｓｙが調整期間の終点Ｔy2よりも後であった場合に(ステップ３２６の肯定判定)、ビデオ復号制御部２２３は、更に、ステップ３２７の判定処理を行う。ステップ３２７で、ビデオ復号制御部２２３は、切り替え元の階層ＸのＴＳから分離されたＰＥＳのＰＴＳで示される表示予定時刻Ｔｓｘと階層Ｘについての調整期間の終点Ｔx2とを比較する。上述した表示予定時刻Ｔｓｘが階層Ｘの調整期間の終点Ｔx2よりも後であった場合に(ステップ３２７の肯定判定)、ビデオ復号制御部２２３は、階層Ｘの調整期間に含まれる調整出力対象のＰＥＳは既にビデオ復号部２３２に渡されていると判断する。この場合に、ビデオ復号制御部２２３は、ステップ３２５に進んで、ステップ３２１で入力された階層ＹのビデオＰＥＳをビデオ復号部２３２に渡させる。
【００７４】
また、階層Ｘ側のＰＥＳの表示予定時刻Ｔｓｘが調整期間の終点Ｔx2以下である場合に(ステップ３２７の否定判定)、ビデオ復号制御部２２３は、階層Ｘの調整期間の終点に当たるＰＥＳが到達するまで待ってからステップ３２５に進む。例えば、ビデオ復号制御部２３２は、階層Ｙに対応するビデオＥＳ記憶部に階層ＹのＰＥＳの保存を指示しておき、ステップ３２４の肯定判定となった後に、保存されたＰＥＳをまとめて出力させることもできる。一方、上述した階層ＹのＰＥＳの表示予定時刻Ｔｓｙが調整期間の終点Ｔy2以前であった場合に(ステップ３２６の否定判定)、ビデオ復号制御部２２３は、ステップ３２１で受け取ったビデオＰＥＳを削除する(ステップ３２８)。その後、ビデオ復号制御部２２３は、このビデオＰＥＳについての処理を終了して、次のビデオＰＥＳの到着を待つ。
【００７５】
上述したように、切り替え元の階層Ｘと切り替え先の階層Ｙとのどちらが調整用の階層となるかに応じて、両階層のＴＳから分離されたＰＥＳのうち適切な方を選択的にオーディオ・ビデオ復号部に渡すことができる。
【００７６】
図９に、ワンセグからフルセグへの階層切り替えを説明する図を示す。また、図１０に、フルセグからワンセグへの階層切り替えを説明する図を示す。なお、図９、図１０において、階層切り替え指示が入力されたタイミングを矢印で示した。また、ワンセグＰＥＳを白色の矩形で示し、フルセグＰＥＳを網掛けを付した矩形で示した。個々の矩形には、階層Ｘ，Ｙにおける調整期間の始点Ｔx1、Ｔy1あるいは終点Ｔx1、Ｔy1を基点とし、それぞれよりも前に到達するＰＥＳには負の値を持つ序数を付し、逆に、後に到達するＰＥＳには正の値を持つ序数を付して示した。
【００７７】
図９に示した例では、ワンセグ階層が切り替え元の階層Ｘとなり、フルセグ階層が切り替え先の階層Ｙとなる。このように、切り替え後の階層Ｙに早い表示タイミングが設定されている場合には、切り替え元のワンセグ側の調整期間の始点に相当するワンセグＰＥＳ(Ｔx1)が到達するタイミングで、調整期間が開始される。そして、上述したワンセグＰＥＳ(Ｔx1)の到達に先立って到達したフルセグＰＥＳであって、調整期間の始点以降に到達するフルセグＰＥＳはフルセグＥＳ記憶部に保持される。これらのフルセグＰＥＳは、上述したワンセグＰＥＳ(Ｔx1)が到達し、このワンセグＰＥＳ(Ｔx1)の直前のワンセグＰＥＳ(Ｔx1−１)がオーディオ・ビデオ復号部に渡された後に、順次にオーディオ・ビデオ復号部に渡される。
【００７８】
図９の例では、フルセグ側の調整期間の始点に相当するフルセグＰＥＳ(Ｔy1)から調整期間の終点に相当するフルセグＰＥＳ(Ｔy2)の直前のＰＥＳ(Ｔy2−１)が後述する調整出力対象のＰＥＳとなる。一方、上述したワンセグＰＥＳ(Ｔx1)の直前のワンセグＰＥＳ(Ｔx1−１)までの各ワンセグＰＥＳおよびフルセグＰＥＳ(Ｔy2)以降の各フルセグＰＥＳは、それぞれ標準速度で出力される。
【００７９】
一方、図１０に示した例では、フルセグ階層が切り替え元の階層Ｘとなり、ワンセグ階層が切り替え先の階層Ｙとなる。このように、切り替え元の階層Ｘに早い表示タイミングが設定されている場合には、切り替え元のフルセグ側の調整期間の始点に相当するフルセグＰＥＳ(Ｔx1)が到達するタイミングで、調整期間が開始される。そして、フルセグ側の調整期間の終点に相当するフルセグＰＥＳ(Ｔx2)の直前のＰＥＳ(Ｔx2−１)までの各ＰＥＳが、それぞれの到達に応じてフルセグＥＳ記憶部を介してオーディオ・ビデオ復号部に渡される。その後、ワンセグ側の調整期間の終点に相当するワンセグＰＥＳ(Ｔy2)およびこれに続く各ワンセグＰＥＳは、順次に、ワンセグＥＳ記憶部を介してオーディオ・ビデオ復号部に渡される。
【００８０】
図１０の例では、上述したフルセグＰＥＳ(Ｔx1)から調整期間の終点に相当するフルセグＰＥＳ(Ｔx2)の直前のＰＥＳ(Ｔx2−１)が後述する調整出力対象のＰＥＳとなる。一方、上述したフルセグＰＥＳ(Ｔx1)の直前のフルセグＰＥＳ(Ｔx1−１)までの各フルセグＰＥＳおよびワンセグＰＥＳ(Ｔy2)以降のワンセグＰＥＳは標準速度で出力される。
【００８１】
次に、上述したようにして、ビデオ復号部２３２およびオーディオ復号部２３６に渡されたフルセグ／ワンセグビデオＰＥＳおよびフルセグ／ワンセグオーディオＰＥＳに基づくオーディオ・ビデオ復号データの出力動作について説明する。
【００８２】
図１１に、オーディオ・ビデオ出力動作を表す流れ図を示す。なお、以下の説明では、オーディオ復号データおよびビデオ復号データを復号データと総称する。
【００８３】
出力制御部２３５は、切り替え元の階層Ｘのオーディオ・ビデオＰＥＳから生成された復号データを標準速度で出力させるごとに(ステップ３３１)、内部カウンタの計数値ＣＮＴと切り替え元の階層Ｘにおける調整期間の始点Ｔx1とを比較する(ステップ３３２)。そして、計数値ＣＮＴが始点Ｔx1未満である間は(ステップ３３２の否定判定)、ステップ３３１とステップ３３２を繰り返す。
【００８４】
その後、計数値ＣＮＴが始点Ｔx1以上となったときに(ステップ３３２の肯定判定)、処理は、ステップ３３３に進む。このとき、出力制御部２３５は、切り替え先の階層Ｙが早い表示タイミングが設定されている早い階層であるか否かを判定する(ステップ３３３)。そして、ステップ３３３の肯定判定の場合に限って、内部カウンタの計数値ＣＮＴに切り替え先の階層Ｙにおける調整期間の始点Ｔy1を設定する(ステップ３３４)。
【００８５】
次いで、出力制御部２３５は、図６に示したステップ３１０で切替制御部２３９から通知された調整幅ｎを用いて、内部カウンタのカウントアップ速度Ｎを変更する(ステップ３３５)。このとき、例えば、ワンセグからフルセグへの階層切り替えが指示された場合は、早い階層への切り替えに対応して調整幅ｎとして通知された第１調整幅に基づいて、カウントアップ速度が高速化するように変更される。一方、フルセグからワンセグへの階層切り替えが指示された場合は、早い階層からの切り替えに対応して調整幅ｎとして通知された第２調整幅に基づいて、カウントアップ速度が低速化するように変更される。
【００８６】
その後、出力制御部２３５は、調整用の階層として用いる早い階層の復号データを、上述したようにして変更された速度でカウントアップされる内部カウンタの計数値ＣＮＴに従って出力する(ステップ３３６)。出力制御部２３５は、例えば、内部カウンタの計数値ＣＮＴと復号オーディオ・ビデオ記憶部に保持された復号データに設定されたＰＴＳで示される表示予定時刻とを比較し、一致した復号データを出力させることができる。そして、個々の復号データを出力させるごとに、出力制御部２３５は、計数値ＣＮＴが早い階層における調整期間の終点に相当する値以上となったか否かを判定する(ステップ３３７)。このステップ３３７の否定判定の場合に、出力制御部２３５は、調整期間はまだ終了していないと判断し、ステップ３３６に戻って次の復号データを出力する。
【００８７】
そして、計数値ＣＮＴが調整期間の終点に相当する値に到達したときに(ステップ３３７の肯定判定)、出力制御部２３５は、再び、切り替え先の階層Ｙが早い表示タイミングが設定されている早い階層であるか否かを判定する(ステップ３３８)。そして、このステップ３３８の否定判定の場合に限って、内部カウンタの計数値ＣＮＴに切り替え先の階層Ｙにおける調整期間の終点Ｔy2を設定する(ステップ３３９)。
【００８８】
次いで、出力制御部２３５は、内部カウンタのカウントアップ速度Ｎを標準値である１に戻す変更を行い(ステップ３４０)、以降は、切り替え先の階層Ｙの復号データを標準速度でオーディオ・ビデオ出力部に出力させる(ステップ３４１)。
【００８９】
上述した例では、出力制御部２３５により、復号データを復号ビデオデータ記憶部２３３および復号オーディオ記憶部２３７からビデオ出力部１０５およびオーディオ出力部１０６に出力させる速度を制御している。これにより、調整用の早い階層の復号データを調整速度で出力させる調整期間を挟んで、切り替え元の階層Ｘの復号データを通常出力させている区間と、切り替え後の階層Ｙの復号データを通常出力させる区間とを、シーンの連続性を維持して接続することができる。
【００９０】
なお、図５に示した設定情報保持部２４１に第１調整幅として保持する値は、例えば、ビデオ復号部２３２によるビデオＰＥＳの最大の復号速度と同等のカウントアップ速度を与える値を上限として、予め設定しておくことができる。このような条件に従って第１調整幅を設定することにより、ビデオ復号部２３２の性能の範囲内で微高速出力を実現することができる。また一方、調整期間における微高速出力が不自然な印象を利用者に与えない程度に第１調整幅を抑制することもできる。更に、例えば、調整期間の中央付近で最も第１調整速度が高速になるように、調整期間内で第１調整幅を段階的に変化させることも可能である。
【００９１】
また、設定情報保持部２４１に第２調整幅として保持する値は、例えば、復号ビデオ記憶部２３３に格納可能な復号ビデオデータの量を考慮して、予め設定しておくことができる。このような条件に従って第２調整幅を設定することにより、復号ビデオ記憶部２３３の容量の範囲内で微低速出力を実現することができる。また一方、調整期間における微低速出力が不自然な印象を利用者に与えない程度に第２調整幅を抑制することもできる。更に、例えば、調整期間の中央付近で最も第２調整速度が低速になるように、調整期間内で第２調整幅を段階的に変化させることも可能である。
【００９２】
また、復号オーディオ記憶部２３７に格納されるオーディオ復号データについて、予め、それぞれが出力される際の速度を考慮して、個々のオーディオ復号データの出力に要する時間を調整することもできる。
【００９３】
図１２に、音声復号処理部の別実施形態を示す。なお、図１２に示した構成要素のうち、図５に示した構成要素と同等のものについては、同一の符号を付して示し、その説明は省略する。
【００９４】
図１２に示したオーディオ復号部２３６は、無音挿入部１３１と無音削除部１３２と音声データ生成部１３３とを備えている。また、出力制御部２３５は、編集制御部２４２とカウンタ制御部２４３とカウンタ２４４と出力指示送出部２４５とを備えている。
【００９５】
出力制御部２３５のカウンタ制御部２４３は、調整期間の始点および終点を示す各階層のＰＴＳの値と調整幅ｎとに基づいて、カウンタ２４４の計数動作を制御する。そして、出力指示送出部２４５は、このカウンタ２４４の計数値ＣＮＴがカウントアップされるごとに、復号オーディオ記憶部２３７および復号ビデオ記憶部(図示せず)に復号データの出力を指示する。
【００９６】
一方、編集制御部２４２は、カウンタ制御部２４３を介して調整幅ｎを受け取り、カウンタ２４４の計数値ＣＮＴが調整用の階層の復号データが出力される期間であることを示している期間に、調整幅ｎに基づく編集処理を指示する。例えば、調整幅ｎによりカウントアップ速度Ｎが高速化される場合に、編集制御部２４２は、無音削除部１３２に対して、音声データ生成部１３３で生成される復号音声データから調整幅ｎに対応する長さの無音期間を削除する旨を指示する。一方、調整幅ｎによりカウントアップ速度Ｎが低速化される場合に、編集制御部２４２は、無音挿入部１３１に対して、音声データ生成部１３３で生成される復号音声データに調整幅ｎに対応する長さの無音期間を挿入する旨を指示する。
【００９７】
このようにして、復号オーディオ記憶部２３７に格納される復号音声データの長さを、それぞれの復号音声データが出力される際のカウントアップ速度に合わせて調整しておくことができる。このようにして長さが調整された復号音声データは、出力指示送出部２４５からの指示に従って順次に出力され、オーディオ出力部１０６に渡される。
【００９８】
以上に説明したような構成を備えたデジタル放送受信装置は、車載用のデジタル放送受信装置やデジタル放送受信機能を持つカーナビゲーション装置などに適用することができる。このような車載用のデジタル放送受信装置やデジタル放送受信機能を持つカーナビゲーション装置などによれば、サイマル放送される２つの階層の受信状態の変化に応じて、シーンの連続性を損なうことなく階層の切り替えを行うことができる。しかも、上述したように、階層の切り替えの完了後は、切り替え先の階層本来の表示タイミングに従って映像・音声を出力させることができるので、利用者は、移動中でも地上デジタル放送をより快適に視聴することができる。
【符号の説明】
【００９９】
１０１  第１階層受信処理部
１０２  第２階層受信処理部
１０３  映像復号処理部
１０４  ビデオ出力部
１０５  音声復号処理部
１０６  オーディオ出力部
１１１  タイムラグ特定部
１１２  調整期間決定部
１１３  調整出力部
１１４  切り替え出力部
１２１  始点特定部
１２２  終点特定部
１３１  無音挿入部
１３２  無音削除部
１３３  音声データ生成部
２１１  ワンセグチューナ部
２１２  ワンセグ復調部
２１３  ワンセグＴＳ分離部
２１４  ワンセグＰＣＲ解析部
２１５  フルセグチューナ部
２１６  フルセグ復調部
２１７  フルセグＴＳ分離部
２１８  フルセグＰＣＲ分離部
２２１  ワンセグビデオＰＥＳ解析部
２２２  ワンセグビデオＥＳ記憶部
２２３  ビデオ復号制御部
２２４  フルセグビデオＰＥＳ解析部
２２５  フルセグビデオＥＳ記憶部
２２６  ワンセグオーディオＰＥＳ解析部
２２７  ワンセグオーディオＥＳ記憶部
２２８  オーディオ復号制御部
２２９  フルセグオーディオＰＥＳ解析部
２３０  フルセグオーディオＥＳ記憶部
２３１  復号制御部
２３２  ビデオ復号部
２３３  復号ビデオ記憶部
２３５  出力制御部
２３６  オーディオ復号部
２３７  復号オーディオ記憶部
２３８  階層切り替え指示部
２３９  切替制御部
２４１  設定情報保持部
２４２  編集制御部
２４３  カウンタ制御部
２４４  カウンタ
２４５  出力指示送出部
【図１】
0005552908.tif 000002
【図２】
0005552908.tif 000003
【図３】
0005552908.tif 000004
【図４】
0005552908.tif 000005
【図５】
0005552908.tif 000006
【図６】
0005552908.tif 000007
【図７】
0005552908.tif 000008
【図８】
0005552908.tif 000009
【図９】
0005552908.tif 000010
【図１０】
0005552908.tif 000011
【図１１】
0005552908.tif 000012
【図１２】
0005552908.tif 000013